(57)【要約】  コンパレータを用いた発振器回路において、コンパレータの利得部内の増幅器として用いられるＭＯＳＦＥＴのゲート・ドレイン間のミラー容量及び同ＭＯＳＦＥＴのゲート容量の充放電を制御し、比較的高周波の制御信号が外部から入力された場合でも該制御信号にコンパレータ出力が追従できるようにする。  差動部２と利得部３とを有するコンパレータＣＭＰを用いた発振器回路１ｄは、ＭＯＳＦＥＴ（Ｎ２）のゲート・ドレイン間のミラー容量及びゲート容量の充放電を制御する充放電制御部４ｄと、前記利得部の出力を制御する出力制御部６ｄ及び７とを有し、前記出力制御部は、差動部の一方の入力に接続される制御信号が入力されるインバータＩＮＶ５ｄと、前記インバータの出力と前記利得部の出力とが入力される論理回路ＩＮＶ６ｄ及びＮＯＲ２と、トランジスタＮ８ａと、前記論理回路の入力及び出力に接続される容量Ｃ２とを有する。
2019116764.tif 000002
【特許請求の範囲】
【請求項１】
差動部と利得部とを有するコンパレータであって、
前記差動部の出力に接続し、前記利得部の増幅器として用いられるＭＯＳＦＥＴのゲート・ドレイン間のミラー容量及び前記ＭＯＳＦＥＴのゲート容量の充放電を制御する充放電制御部と、
前記利得部の出力を制御する出力制御部と
を有し、
前記差動部の一方の入力に、前記コンパレータの外部端子に生じる信号が入力され、
前記出力制御部は、
前記外部端子に生じる信号が入力される第１インバータと、
前記第１インバータの出力と前記利得部の出力とが入力される第１論理回路と、
ドレインが前記利得部の出力に接続され、ソースが前記コンパレータの基準電位に接続され、ゲートが前記第１論理回路の出力に接続される第１トランジスタと、
前記第１論理回路の入力及び出力に接続される第１容量と
を有する、コンパレータ。
【請求項２】
前記第１論理回路は、
前記第１インバータの出力が入力される第２インバータと、
前記第２インバータの出力と前記利得部の出力とが入力される第１否定論理和回路と
を有し、前記第１否定論理和回路の出力を前記第１論理回路の出力とする、請求項１に記載のコンパレータ。
【請求項３】
前記充放電制御部は、
前記外部端子に生じる信号が入力される第３インバータと、
前記差動部の出力と前記第３インバータの出力とが入力される第２論理回路と、
ゲートが前記第２論路回路の出力に接続され、ソースが前記コンパレータの電源電圧に接続され、ドレインが前記ＭＯＳＦＥＴのドレインに接続される第２トランジスタと、
前記第２論理回路の２つの入力に接続される第２容量と
を有する、請求項１に記載のコンパレータ。
【請求項４】
前記第２論理回路は、
前記差動部の出力と前記第３インバータの出力とが入力される第２否定論理和回路と、
前記第２否定論理和回路の出力が入力される第４インバータと
を有し、前記第４インバータの出力を前記第２論理回路の出力とする、請求項３に記載のコンパレータ。
【請求項５】
前記充放電制御部は、ドレインが前記ＭＯＳＦＥＴのゲートに接続され、ソースが前記コンパレータの基準電位に接続され、ゲートが前記第２否定論理和回路の出力に接続される第３トランジスタを有する、請求項４に記載のコンパレータ。
【請求項６】
前記外部端子に生じる信号は、前記利得部の出力により生成される信号又は前記コンパレータの外部から前記外部端子に入力される信号である、請求項１に記載のコンパレータ。
【請求項７】
請求項１に記載のコンパレータを用いた発振器回路であって、
前記差動部の一方の入力と前記コンパレータの基準電位との間に接続された第３容量と、
前記コンパレータの電源電圧と前記差動部の一方の入力との間に接続された電流供給素子と、
前記コンパレータの出力に応じて前記第３容量を放電する放電回路と
を有し、前記差動部の他方の入力に基準電圧が入力される、発振器回路。
【請求項８】
前記電流供給素子が抵抗又は定電流回路である、請求項７に記載の発振器回路。
【請求項９】
前記基準電圧の値が前記コンパレータの出力に応じて切り替えられる、請求項７に記載の発振器回路。
【発明の詳細な説明】
【技術分野】
【０００１】
本発明は、コンパレータと、そのコンパレータを用いた発振器回路に関する。
【背景技術】
【０００２】
半導体集積回路には、回路内部の時間設定のために、一定周期のクロック信号を出力する発振器回路が設けられる。その発振器回路の一例として、コンパレータを用いた発振器回路がある。【０００３】
コンパレータは、素子の一つであり、その一例が特許文献１に記載されている。【０００４】
コンパレータを用いた発振器回路には、コンパレータの一方の入力端子に抵抗及び容量を外付けし、コンパレータの出力によって、コンパレータの他方の入力端子に入力される基準電圧を切り替える方式がある。このような発振器回路の発振周波数は、外付けされる抵抗の抵抗値及び容量の容量値と基準電圧とにより定まる。【０００５】
図２７に、コンパレータを用いた従来の発振器回路を示す。発振器回路１は、外部から電源電圧が入力される電源端子ＶＤＤと、発振周波数を決める抵抗Ｒ０及び容量Ｃ０が外付けされる入力端子ＣＧと、グランドレベルに接続する接地端子ＧＮＤとを有する。なお、同図において、電源電圧もＶＤＤと記す。また、入力端子ＣＧは、コンパレータひいては発振器回路を制御するための制御信号が外部から入力される入力端子としての機能も有する。【０００６】
発振器回路１はさらに、電源端子ＶＤＤと接地端子ＧＮＤとに接続された差動部２及び利得部３を有するコンパレータと、電源端子ＶＤＤと接地端子ＧＮＤとに接続されたトランジスタ（Ｐ型ＭＯＳＦＥＴ）Ｐ５とを有する。トランジスタＰ５のドレインには定電流ｉｂｉａｓを流す定電流源が接続されている。【０００７】
差動部２は、トランジスタ（Ｐ型ＭＯＳＦＥＴ）Ｐ２〜Ｐ４と、トランジスタ（Ｎ型ＭＯＳＦＥＴ）Ｎ３及びＮ４とを有する。トランジスタＰ５のドレインは、同トランジスタのゲートとトランジスタＰ２のゲートとに接続される。トランジスタＰ５とＰ２のソースは、電源端子ＶＤＤに接続される。トランジスタＰ５とＰ２はカレントミラー回路を構成し、トランジスタＰ２は、トランジスタＰ５を流れる定電流ｉｂｉａｓを基準電流とする（定電流ｉｂｉａｓに比例する）バイアス電流を差動部２に供給する定電流源となる。【０００８】
トランジスタＰ２のドレインは、差動対を構成するトランジスタＰ３及びＰ４の各ソースに接続される。トランジスタＰ３及びＰ４の各ゲートは差動部２の入力であり、トランジスタＰ３のゲートには入力端子ＣＧを介して抵抗Ｒ０と容量Ｃ０との接続点の電位、もしくは制御信号が入力され、トランジスタＰ４のゲートには、抵抗Ｒ０と容量Ｃ０との接続点の電位又は外部回路から入力される前記制御信号と比較される基準電圧が入力される。トランジスタＰ３のドレインはトランジスタＮ３のドレインに接続される。トランジスタＰ４のドレインは、トランジスタＮ４のドレイン及びゲートと、トランジスタＮ３のゲートとに接続される。トランジスタＮ３及びＮ４の各ソースは、接地端子ＧＮＤに接続される。トランジスタＮ３とＮ４はカレントミラー回路を構成して、差動部２の能動負荷となっている。トランジスタＰ３のドレイン及びトランジスタＮ３のドレインが、差動部２の出力である。【０００９】
利得部３は、定電流ｉｂｉａｓを基準電流とする（定電流ｉｂｉａｓに比例する）定電流が流れるトランジスタ（Ｐ型ＭＯＳＦＥＴ）Ｐ１と、増幅器として用いられるトランジスタ（Ｎ型ＭＯＳＦＥＴ）Ｎ２とを有する。トランジスタＰ１のソースは電源端子ＶＤＤに接続され、同トランジスタのゲートはトランジスタＰ５のドレインとトランジスタＰ５のゲートに接続され、トランジスタＰ５とＰ１はミラー回路を構成している。トランジスタＮ２のドレイン及びソースはそれぞれ、トランジスタＰ１のドレイン及び接地端子ＧＮＤに接続される。トランジスタＮ２のゲートには、差動部２の出力が入力される。トランジスタＰ１のドレインとトランジスタＮ２のドレインとの接続点が、利得部３の出力である。【００１０】
発振器回路１は、電源端子ＶＤＤと接地端子ＧＮＤとの間で順に直列接続される抵抗Ｒ２〜Ｒ６からなる分圧回路と、スイッチ（Ｎ型ＭＯＳＦＥＴ）Ｎ５及びＮ６とをさらに有する。この分圧回路により、抵抗Ｒ３と抵抗Ｒ４との接続点の電圧である第１基準電圧Ｖ１と、抵抗Ｒ４と抵抗Ｒ５との接続点の電圧であり、第１基準電圧よりも低い第２基準電圧Ｖ２とが得られる。第１基準電圧Ｖ１は、スイッチＮ５を介してトランジスタＰ４のゲートに入力される。また、第２基準電圧Ｖ２は、スイッチＮ５とは逆相動作するスイッチＮ６を介してトランジスタＰ４のゲートに入力される。【００１１】
コンパレータは、差動部２及び利得部３に加えて、インバータＩＮＶ１及びＩＮＶ２を有する。利得部３の出力は、インバータＩＮＶ２に入力される。このインバータＩＮＶ２の出力は、インバータＩＮＶ１とスイッチＮ５のゲートとに入力される。インバータＩＮＶ１の出力は、スイッチＮ６のゲートに接続される。インバータＩＮＶ１の出力をコンパレータ出力とする。【００１２】
発振器回路１は、容量Ｃ０を放電する放電回路をさらに有する。この放電回路は、入力端子ＣＧと接地端子ＧＮＤとの間に直列接続される抵抗Ｒ１及びトランジスタ（Ｎ型ＭＯＳＦＥＴ）Ｎ１を有する。トランジスタＮ１のゲートには、コンパレータ出力が入力される。コンパレータ出力を、周波数が１／２、デューティ比が５０％となるようにＤフリップフロップ回路Ｄ−ＦＦで分周した後の出力を、クロック出力（発振器回路１の出力）とする。【００１３】
このような発振器回路１を通常動作させる際は、入力端子ＣＧと電源端子ＶＤＤとに抵抗Ｒ０を外付けする。さらに、入力端子ＣＧと接地端子ＧＮＤとに容量Ｃ０を外付けする。この場合、入力端子ＣＧに入力される制御信号は、容量Ｃ０の充放電により得られる。【００１４】
一例として、電源電圧は５Ｖであり、発振器回路１の基準電位はグランドレベルすなわち０Ｖである。抵抗Ｒ２〜Ｒ６の各抵抗値は等しい。すなわち、第１基準電圧Ｖ１は３Ｖであり、第２基準電圧Ｖ２は２Ｖである。インバータＩＮＶ１とインバータＩＮＶ２とＤフリップフロップ回路Ｄ−ＦＦとにおける論理閾値電圧は、いずれも１／２×ＶＤＤである。さらに、抵抗Ｒ１の抵抗値は、抵抗Ｒ０の抵抗値に比べ十分小さい。抵抗Ｒ０の抵抗値と容量Ｃ０の容量値は、コンパレータ出力の発振周波数が約２００ｋＨｚ、すなわち、クロック出力の周波数が約１００ｋＨｚとなるよう設定しているとする。さらに、トランジスタＮ２のゲート閾値電圧は０．７Ｖとする。【００１５】
図２８に、発振器回路１を通常動作させた際の各部電圧シミュレーション波形を示す。同図において横軸は時間（μｓ）を示す。縦軸は、同図（ａ）においては入力端子ＣＧの電圧であるＣＧ電圧（Ｖ）を示し、同図（ｂ）においては差動部出力電圧（Ｖ）を示し、同図（ｃ）においては利得部出力電圧（Ｖ）を示し、同図（ｄ）においてはコンパレータ出力電圧（Ｖ）を示し、同図（ｅ）においてはクロック出力電圧（Ｖ）を示す。【００１６】
まず、コンパレータ出力電圧がローレベル（０Ｖ）であるとき、インバータＩＮＶ１の出力はローレベル、インバータＩＮＶ２の出力はハイレベルである。そのため、スイッチＮ５がオンし、スイッチＮ６がオフすることから、差動部２に入力される基準電圧は第１基準電圧Ｖ１すなわち３Ｖである。さらにトランジスタＮ１がオフすることから、図２７に示す充電電流Ｉｃにより容量Ｃ０が充電され、ＣＧ電圧が２Ｖから３Ｖに向かって上昇していく。このとき、差動部出力電圧はハイレベルであり、利得部３内のトランジスタＮ２がオンしていて、利得部出力電圧はローレベル（０Ｖ）になっている。【００１７】
ＣＧ電圧が第１基準電圧Ｖ１すなわち３Ｖを超えると、トランジスタＰ４を流れる電流がトランジスタＰ３を流れる電流を上回り、トランジスタＮ３及びＮ４のゲート電圧が上昇する。そして、差動部出力電圧は、トランジスタＮ２のゲート・ドレイン間のミラー容量及び同トランジスタのゲート容量をトランジスタＮ３に流れる電流により放電しながら、徐々に低下する。【００１８】
ここで、トランジスタＮ２のゲート・ドレイン間容量（寄生容量）は、同トランジスタの電圧増幅率倍（厳密にいえば、（電圧増幅率＋１）倍）の大きさとなって作用する。この現象をミラー効果と呼ぶ。また、ゲート・ドレイン間容量を同トランジスタの電圧増幅率倍した値を、ゲート・ドレイン間のミラー容量と呼ぶ。【００１９】
差動部出力電圧がトランジスタＮ２のゲート閾値電圧を下回ると、トランジスタＮ２がオフする。そして、利得部出力電圧は、トランジスタＰ１からの定電流によりトランジスタＮ２のゲート・ドレイン間のミラー容量を充電しながら、徐々に上昇する。【００２０】
利得部出力電圧がインバータＩＮＶ２の論理閾値電圧に達すると、インバータＩＮＶ２の出力電圧はローレベルになり、インバータＩＮＶ１の出力電圧すなわちコンパレータ出力電圧はハイレベル（５Ｖ）になる。そして、スイッチＮ５がオフし、スイッチＮ６がオンして、差動部２に入力される基準電圧は第２基準電圧Ｖ２すなわち２Ｖとなる。また、トランジスタＮ１がオンすることにより、容量Ｃ０が放電される。すなわち、図２７に示すように、容量Ｃ０から入力端子ＣＧと抵抗Ｒ１とトランジスタＮ１とを通って接地端子ＧＮＤへと放電電流Ｉｄが流れる。これにより、ＣＧ電圧は低下していく。【００２１】
ＣＧ電圧が第２基準電圧Ｖ２すなわち２Ｖを下回ると、トランジスタＰ３を流れる電流がトランジスタＰ４を流れる電流を上回り、トランジスタＰ４を流れる電流が減少して、トランジスタＮ３及びＮ４のゲート電圧が低下する。そして、差動部出力電圧はハイレベルとなり、トランジスタＮ２がオンして利得部出力電圧はローレベル（０Ｖ）となる。さらに、インバータＩＮＶ２の出力電圧はハイレベル、インバータＩＮＶ１の出力電圧すなわちコンパレータ出力電圧はローレベル（０Ｖ）になる。さらに、スイッチＮ５がオン、スイッチＮ６がオフして、差動部２に入力される基準電圧は第１基準電圧Ｖ１すなわち３Ｖになる。このとき、トランジスタＮ１がオフするため、充電電流Ｉｃにより容量Ｃ０が充電され、ＣＧ電圧は上昇していく。【００２２】
以上の動作が繰り返されることで、コンパレータ出力は、抵抗Ｒ０の抵抗値と容量Ｃ０の容量値と第１基準電圧Ｖ１及び第２基準電圧Ｖ２とにより定まる周波数の矩形波となる（図２８（ｄ））。このコンパレータ出力を、周波数が１／２、デューティ比が５０％となるようにＤフリップフロップ回路Ｄ−ＦＦで分周した後の出力がクロック出力となる（図２８（ｅ））。【００２３】
図２９に、発振器回路１のクロック出力を動作クロックとするデジタル回路を備えた半導体集積回路の出荷試験を行う際の構成を示す。図２７と同じ要素には同じ符号を付して詳細な説明は省略する。出荷試験を行う際は、入力端子ＣＧに対し、抵抗Ｒ０及び容量Ｃ０に代えて、抵抗Ｒ０の抵抗値と容量Ｃ０の容量値とにより定まる発振周波数よりも高い周波数の矩形波制御信号を入力端子ＣＧに入力するための矩形波発生回路９を外付けする。このように比較的高周波の制御信号を入力する目的は、発振器回路１のクロック出力のクロックアップを図り、半導体集積回路の出荷試験に要する時間を短縮することにある。【００２４】
図３０に、矩形波発生回路９による矩形波制御信号を入力端子ＣＧに入力した場合の、発振器回路１の各部電圧シミュレーション波形を示す。同図（ａ）に示すように、矩形波は０Ｖ、５Ｖ振幅の２ＭＨｚとする。すなわち周期は５００ｎｓである。【００２５】
ＣＧ電圧がローレベル（０Ｖ）からハイレベル（５Ｖ）に立ち上がると、差動部出力電圧は、トランジスタＮ３に流れる電流によりトランジスタＮ２のゲート・ドレイン間のミラー容量及び同トランジスタのゲート容量を放電しながら、徐々に低下する。これを符号Ｋ５１として図３０（ｂ）に示す。【００２６】
差動部出力電圧がトランジスタＮ２のゲート閾値電圧を下回ると、トランジスタＮ２がオフする。そして、利得部出力電圧は、トランジスタＰ１からの定電流によりトランジスタＮ２のゲート・ドレイン間のミラー容量を充電しながら、徐々に上昇する。これを符号Ｋ５２として図３０（ｃ）に示す。【００２７】
このように、ＣＧ電圧が立ち上がると、差動部出力電圧が低下し、利得部出力電圧は上昇する。しかし、利得部出力電圧がインバータＩＮＶ２の論理閾値電圧（２．５Ｖ）に達する前に、ＣＧ電圧が立ち下がる。ＣＧ電圧が立ち下がると、利得部出力電圧も低下し、やがてローレベルとなる。【００２８】
すなわち、周期全体を通して、利得部出力電圧がインバータＩＮＶ２の論理閾値電圧（２．５Ｖ）に達することはない。そのため、コンパレータ出力電圧は、周期全体を通してローレベル（０Ｖ）に固定され、発振しない。したがって、クロック出力電圧は、周期全体を通してハイレベル（５Ｖ）（図３０（ｅ）の場合）又はローレベル（０Ｖ）に固定され、発振しない。【００２９】
このように、コンパレータ出力電圧は、矩形波発生回路９から入力される２ＭＨｚの矩形波制御信号に追従できず、２ＭＨｚまでクロックアップさせることができない。
【先行技術文献】
【特許文献】
【００３０】
【特許文献１】特開２００１−２６７８９３号公報
【発明の概要】
【発明が解決しようとする課題】
【００３１】
コンパレータの出力が外部から入力される比較的高周波の制御信号に追従できないのは、コンパレータの利得部内の増幅器として用いられるＭＯＳＦＥＴのゲート・ドレイン間のミラー容量及び同ＭＯＳＦＥＴのゲート容量の充放電に要する時間が影響しているということを本発明の発明者は見いだした。【００３２】
本発明は、コンパレータを用いた発振器回路において、コンパレータの利得部内の増幅器として用いられるＭＯＳＦＥＴのゲート・ドレイン間のミラー容量及び同ＭＯＳＦＥＴのゲート容量の充放電を制御し、比較的高周波の制御信号が外部から入力された場合でも該制御信号にコンパレータ出力が追従できるようにすることを目的とする。
【課題を解決するための手段】
【００３３】
上記の目的を達成するために、本発明の一態様に係るコンパレータは、差動部と利得部とを有するコンパレータであって、前記差動部の出力に接続し、前記利得部の増幅器として用いられるＭＯＳＦＥＴのゲート・ドレイン間のミラー容量及び前記ＭＯＳＦＥＴのゲート容量の充放電を制御する充放電制御部と、前記利得部の出力を制御する出力制御部とを有する。前記差動部の一方の入力に、前記コンパレータの外部端子に生じる信号が入力される。前記出力制御部は、前記外部端子に生じる信号が入力される第１インバータと、前記第１インバータの出力と前記利得部の出力とが入力される第１論理回路と、ドレインが前記利得部の出力に接続され、ソースが前記コンパレータの基準電位に接続され、ゲートが前記第１論理回路の出力に接続される第１トランジスタと、前記第１論理回路の入力及び出力に接続される第１容量とを有する。【００３４】
前記第１論理回路は、前記第１インバータの出力が入力される第２インバータと、前記第２インバータの出力と前記利得部の出力とが入力される第１否定論理和回路とを有し、前記第１否定論理和回路の出力を前記第１論理回路の出力とすることができる。【００３５】
前記充放電制御部は、前記外部端子に生じる信号が入力される第３インバータと、前記差動部の出力と前記第３インバータの出力とが入力される第２論理回路と、ゲートが前記第２論路回路の出力に接続され、ソースが前記コンパレータの電源電圧に接続され、ドレインが前記ＭＯＳＦＥＴのドレインに接続される第２トランジスタと、前記第２論理回路の２つの入力に接続される第２容量とを有するものとすることができる。【００３６】
前記第２論理回路は、前記差動部の出力と前記第３インバータの出力とが入力される第２否定論理和回路と、前記第２否定論理和回路の出力が入力される第４インバータとを有し、前記第４インバータの出力を前記第２論理回路の出力とすることができる。【００３７】
前記充放電制御部は、ドレインが前記ＭＯＳＦＥＴのゲートに接続され、ソースが前記コンパレータの基準電位に接続され、ゲートが前記第２否定論理和回路の出力に接続される第３トランジスタを有するものとすることができる。【００３８】
前記外部端子に生じる信号は、前記利得部の出力により生成される信号又は前記コンパレータの外部から前記外部端子に入力される信号とすることができる。【００３９】
本発明の一態様に係る発振器回路は、上記コンパレータを用いた発振器回路であって、前記差動部の一方の入力と前記コンパレータの基準電位との間に接続された第３容量と、前記コンパレータの電源電圧と前記差動部の一方の入力との間に接続された電流供給素子と、前記コンパレータの出力に応じて前記第３容量を放電する放電回路とを有し、前記差動部の他方の入力に基準電圧が入力される。【００４０】
前記電流供給素子は抵抗又は定電流回路とすることができる。【００４１】
前記基準電圧の値は、前記コンパレータの出力に応じて切り替えることができる。
【発明の効果】
【００４２】
本発明によれば、コンパレータとそのコンパレータを用いた発振器回路において、コンパレータの利得部内の増幅器として用いられるＭＯＳＦＥＴのゲート・ドレイン間のミラー容量及び同ＭＯＳＦＥＴのゲート容量の充放電を制御し、比較的高周波の制御信号が外部から入力された場合でも該制御信号にコンパレータ出力が追従できるようになる。
【図面の簡単な説明】
【００４３】
【図１】本発明の一実施形態に係る発振器回路（２ＭＨｚ制御信号入力）を示す説明図である。
【図２】本発明の一実施形態に係る発振器回路（２ＭＨｚ制御信号入力）の動作を示すタイミングチャートである。
【図３】本発明の一実施形態に係る発振器回路（５ＭＨｚ制御信号入力）の動作を示すタイミングチャートである。
【図４】本発明の一実施形態に係る発振器回路（ＣＲ外付け）を示す説明図である。
【図５】本発明の一実施形態に係る発振器回路（ＣＲ外付け）の動作を示すタイミングチャートである。
【図６】本発明の第２実施形態に係る発振器回路（２ＭＨｚ制御信号入力）を示す説明図である。
【図７】本発明の第２実施形態に係る発振器回路（２ＭＨｚ制御信号入力）の動作を示すタイミングチャートである。
【図８】本発明の第２実施形態に係る発振器回路（１０ＭＨｚ制御信号入力）の動作を示すタイミングチャートである。
【図９】本発明の第２実施形態に係る発振器回路（２０ＭＨｚ制御信号入力）の動作を示すタイミングチャートである。
【図１０】本発明の第２実施形態に係る発振器回路（ＣＲ外付け）を示す説明図である。
【図１１】本発明の第２実施形態に係る発振器回路（ＣＲ外付け）の動作を示すタイミングチャートである。
【図１２】本発明の第３実施形態に係る発振器回路（１０ＭＨｚ制御信号入力）を示す説明図である。
【図１３】本発明の第３実施形態に係る発振器回路（１０ＭＨｚ制御信号入力）の動作を示すタイミングチャートである。
【図１４】本発明の第３実施形態に係る発振器回路（１７ＭＨｚ制御信号入力）の動作を示すタイミングチャートである。
【図１５】本発明の第３実施形態に係る発振器回路（ＣＲ外付け）を示す説明図である。
【図１６】本発明の第３実施形態に係る発振器回路（ＣＲ外付け）の動作を示すタイミングチャートである。
【図１７】本発明の第４実施形態に係る発振器回路（矩形波制御信号入力）を示す説明図である。
【図１８】本発明の第４実施形態に係る発振器回路（０Ｖ、５Ｖ振幅の２ＭＨｚ制御信号入力）の動作を示すタイミングチャートである。
【図１９】本発明の第４実施形態に係る発振器回路（０Ｖ、５Ｖ振幅の５０ＭＨｚ制御信号入力）の動作を示すタイミングチャートである。
【図２０】本発明の第４実施形態に係る発振器回路（１．５Ｖ、３．５Ｖ振幅の５０ＭＨｚ制御信号入力）の動作を示すタイミングチャートである。
【図２１】本発明の第４実施形態に係る発振器回路（０Ｖ、２．７Ｖ振幅の５０ＭＨｚ制御信号入力）の動作を示すタイミングチャートである。
【図２２】本発明の第４実施形態に係る発振器回路（２．３Ｖ、５Ｖ振幅の５０ＭＨｚ制御信号入力）の動作を示すタイミングチャートである。
【図２３】本発明の第４実施形態に係る発振器回路（２．３Ｖ、２．７Ｖ振幅の５０ＭＨｚ制御信号入力）の動作を示すタイミングチャートである。
【図２４】矩形波制御信号の電圧と基準電圧との関係と、否定論理和回路及び利得部の出力とを示す説明図である。
【図２５】本発明の第４実施形態に係る発振器回路（ＣＲ外付け）を示す説明図である。
【図２６】本発明の第４実施形態に係る発振器回路（ＣＲ外付け）の動作を示すタイミングチャートである。
【図２７】従来の発振器回路（ＣＲ外付け）を示す説明図である。
【図２８】従来の発振器回路（ＣＲ外付け）の動作を示すタイミングチャートである。
【図２９】従来の発振器回路（２ＭＨｚ制御信号入力）を示す説明図である。
【図３０】従来の発振器回路（２ＭＨｚ制御信号入力）の動作を示すタイミングチャートである。
【発明を実施するための形態】
【００４４】
以下に本発明の実施形態を説明する。ただし、本発明は、以下の実施形態によって限定されるものではない。
【００４５】
［第１実施形態］
図１に、本発明の第１実施形態として、矩形波発生回路９が外付けされた発振器回路１ａを示す。図２９と同じ要素には同じ符号を付して詳細な説明は省略する。発振器回路１ａは、従来の構成に加えて、トランジスタＮ２のゲート・ドレイン間のミラー容量及び同トランジスタのゲート容量の充放電を制御する充放電制御部４を有する。充放電制御部４は、インバータＩＮＶ３と、否定論理和回路ＮＯＲ１と、トランジスタ（Ｎ型ＭＯＳＦＥＴ）Ｎ７と、インバータＩＮＶ４と、トランジスタ（Ｐ型ＭＯＳＦＥＴ）Ｐ６とを有する。
【００４６】
インバータＩＮＶ３の入力は、入力端子ＣＧに接続される。つまり、インバータＩＮＶ３には、矩形波発生回路９から矩形波制御信号が入力される。このインバータＩＮＶ３の出力は、否定論理和回路ＮＯＲ１の一方の入力に送られる。否定論理和回路ＮＯＲ１の出力は、トランジスタＮ７のゲートに接続される。トランジスタＮ７のソースは、接地端子ＧＮＤに接続される。
【００４７】
差動部２の出力（トランジスタＰ３のドレインとトランジスタＮ３のドレインとの接続点）は、トランジスタＮ２のゲートのみならず、否定論理和回路ＮＯＲ１の他方の入力と、トランジスタＮ７のドレインとに接続される。つまり、トランジスタＮ７のドレインはトランジスタＮ２のゲートに接続される。
【００４８】
否定論理和回路ＮＯＲ１の出力は、インバータＩＮＶ４の入力にも接続される。インバータＩＮＶ４の出力は、トランジスタＰ６のゲートに接続される。トランジスタＰ６のソースは、電源端子ＶＤＤに接続され、ドレインは利得部出力（トランジスタＰ１のドレインとトランジスタＮ２のドレインとの接続点）に接続される。
【００４９】
一例として、電源電圧ＶＤＤは５Ｖであり、発振器回路１ａの基準電位はグランドレベルすなわち０Ｖである。抵抗Ｒ２〜Ｒ６の各抵抗値は等しい。すなわち、コンパレータに入力される第１基準電圧Ｖ１は３Ｖであり、第２基準電圧Ｖ２は２Ｖである。インバータＩＮＶ１〜ＩＮＶ４と否定論理和回路ＮＯＲ１とＤフリップフロップ回路Ｄ−ＦＦとにおける論理閾値電圧はいずれも、１／２×ＶＤＤである。また、トランジスタＮ２のゲート閾値電圧は０．７Ｖとする。
【００５０】
図２に、矩形波発生回路９による矩形波制御信号を入力端子ＣＧに入力した場合の、発振器回路１ａの各部電圧シミュレーション波形を示す。同図において横軸は時間（μｓ）を示す。縦軸は、同図（ａ）においては入力端子ＣＧの電圧であるＣＧ電圧（Ｖ）を示し、同図（ｂ）においては差動部出力電圧（Ｖ）を示し、同図（ｃ）においては否定論理和回路ＮＯＲ１の出力電圧（Ｖ）を示し、同図（ｄ）においては利得部出力電圧（Ｖ）を示し、同図（ｅ）においてはコンパレータ出力電圧（Ｖ）を示し、同図（ｆ）においてはクロック出力電圧（Ｖ）を示す。
【００５１】
このときの矩形波制御信号は、同図（ａ）に示すように、０Ｖ、５Ｖ振幅の２ＭＨｚとする。すなわち周期は５００ｎｓである。
【００５２】
ＣＧ電圧がローレベル（０Ｖ）からハイレベル（５Ｖ）に変わると、否定論理和回路ＮＯＲ１の一方の入力であるインバータＩＮＶ３の出力がローレベルになる。続いて、差動部出力電圧は、トランジスタＰ３のゲート電圧がハイレベルとなったので、トランジスタＮ２のゲート・ドレイン間のミラー容量及び同トランジスタのゲート容量を放電しながら徐々に低下する。これを符号Ｋ１１として図２（ｂ）に示す。
【００５３】
差動部出力電圧が否定論理和回路ＮＯＲ１の論理閾値電圧１／２×ＶＤＤ（２．５Ｖ）を下回ると、否定論理和回路ＮＯＲ１の両入力がローレベルとなり、否定論理和回路ＮＯＲ１の出力がハイレベル（５Ｖ）になる。
【００５４】
これにより、トランジスタＮ７がオンし、差動部出力が接地端子ＧＮＤにショートする。そのため、前記ミラー容量及び前記ゲート容量の放電が高速になされ、差動部出力電圧は、２．５Ｖを下回るのとほぼ同時に０Ｖになる。これを符号Ｋ１２として図２（ｂ）に示す。その結果、トランジスタＮ２はオフする。
【００５５】
否定論理和回路ＮＯＲ１の出力を受け、インバータＩＮＶ４の出力はローレベルとなる。その結果、トランジスタＰ６がオンする。このとき、トランジスタＰ６を流れる電流は、トランジスタＰ１を流れる定電流よりもはるかに大きく、前記ミラー容量は、トランジスタＰ６を流れる電流によって高速に充電される。そのため、否定論理和回路ＮＯＲ１の出力がハイレベルになるのとほぼ同時に、利得部出力電圧がハイレベルになる。これを符号Ｋ２１として図２（ｄ）に示す。
【００５６】
図３０に示したように、従来の発振器回路１においてはＣＧ電圧が立ち上がってから２５０ｎｓ経過してもなお利得部出力がローレベル（２．５Ｖ未満）のままであった。これに対し、本実施形態によれば、図２に示したように、ＣＧ電圧が立ち上がってから１００ｎｓも経たないうちに利得部出力がハイレベルになり、コンパレータ出力電圧もハイレベルになる。
【００５７】
このように、トランジスタＮ２のゲート・ドレイン間のミラー容量及び同トランジスタのゲート容量の放電に要する時間は、トランジスタＮ７により短縮される。また、前記ミラー容量の充電に要する時間は、トランジスタＰ６により短縮される。これにより、利得部出力電圧がインバータＩＮＶ２の論理閾値電圧に達するまでの時間が短縮される。そのため、比較的高周波の制御信号が外部から入力された場合でも、該制御信号にコンパレータ出力が追従できるようになる。
【００５８】
また、差動部出力がトランジスタＮ２のゲートと否定論理和回路ＮＯＲ１とに入力され、この否定論理和回路ＮＯＲ１の出力が、差動部出力と接地端子ＧＮＤとに接続されるトランジスタＮ７のゲートに入力される。このような構成は、否定論理和回路ＮＯＲ１の論理閾値電圧がトランジスタＮ２のゲート閾値電圧よりも高いことを利用したものである。
すなわち、従来の発振器回路１では差動部の出力電圧がトランジスタＮ２のゲート閾値電圧（例えば０．７Ｖ）まで下がりきらないとトランジスタＮ２がターンオフして利得部出力電圧が上昇を開始しなかったが、本発明の実施形態の発振器回路１ａでは、差動部の出力電圧がトランジスタＮ２のゲート閾値電圧より高い否定論理和回路ＮＯＲ１の論理閾値電圧（例えば２．５Ｖ）まで下がれば、トランジスタＮ２がターンオフして利得部出力電圧が上昇を開始する。さらに、トランジスタＮ２がターンオフするタイミングでトランジスタＰ６による充電が開始される。これにより、利得部出力が立ち上がるまでの時間を短縮することができる。
【００５９】
図３に、０Ｖ、５Ｖ振幅かつ５ＭＨｚの矩形波制御信号を入力端子ＣＧに入力した場合の、発振器回路１ａの各部電圧シミュレーション波形を示す。同図によれば、コンパレータ出力電圧は、入力端子ＣＧの電圧に追従して変化していることがわかる。つまり、コンパレータ出力電圧を５ＭＨｚ程度までクロックアップすることができている。
【００６０】
図４に、通常動作させる際の発振器回路１ａを示す。入力端子ＣＧと電源端子ＶＤＤとの間に抵抗Ｒ０が外付けされ、さらに、入力端子ＣＧと接地端子ＧＮＤとの間に容量Ｃ０が外付けされる。そして、図５に、発振器回路１ａを通常動作させた際の各部電圧シミュレーション波形を示す。図２８と同様に、コンパレータ出力電圧で約２００ｋＨｚ、Ｄフリップフロップ回路Ｄ−ＦＦの出力で約１００ｋＨｚのクロック出力が得られることがわかる。
【００６１】
インバータＩＮＶ３及びＩＮＶ４をそれぞれ、充放電制御部における第１インバータ及び第２インバータと呼ぶこともできる。さらに、トランジスタＮ７及びＰ６をそれぞれ、放電スイッチ及び充電スイッチと呼ぶこともできる。
【００６２】
充放電制御部４の構成は適宜変更することができる。例えば、インバータＩＮＶ３と否定論理和回路ＮＯＲ１とを組み合わせて一つの論理回路とすることができる。このとき、インバータＩＮＶ３の入力をこの論理回路の入力とし、否定論理和回路ＮＯＲ１の出力をこの論理回路の出力とすることができる。
【００６３】
［第２実施形態］
図６に、本発明の第２実施形態として、矩形波発生回路９が外付けされた発振器回路１ｂを示す。図１と同じ要素には同じ符号を付して詳細な説明は省略する。ただし、図１の充放電制御部４は、図６における第１検出ロジック部４１と第１補助回路部４２との組み合わせに相当する。第１検出ロジック部４１は、インバータＩＮＶ３と否定論理和回路ＮＯＲ１とインバータＩＮＶ４とを有し、まずＣＧ電圧がハイレベルとなったことを検出する。第１補助回路部４２は、トランジスタＰ６及びＮ７とを有し、利得部出力がハイレベルとなるべきときに利得部出力が速やかにハイレベルとなるように補助を行う。
【００６４】
発振器回路１ｂは、発振器回路１ａの構成に加えて、第２補助回路部５を有する。第２補助回路部５は、スイッチ（Ｎ型ＭＯＳＦＥＴ）Ｎ８とトランジスタ（Ｎ型ＭＯＳＦＥＴ）Ｎ９〜Ｎ１１とを有し、利得部出力がローレベルとなるべきときに利得部出力が速やかにローレベルとなるように補助を行う。
【００６５】
トランジスタＮ１０のドレインは利得部出力に接続され、ソースはトランジスタＮ１１のドレインに接続される。トランジスタＮ１１のソースは接地端子ＧＮＤに接続される。インバータＩＮＶ４の出力は、トランジスタＰ６のゲートに加えて、スイッチＮ８及びトランジスタＮ１０の各ゲートに入力される。
【００６６】
スイッチＮ８は、差動部２の出力と、トランジスタＮ１１のゲートとの間に介挿される。トランジスタＮ１１のゲートには、トランジスタＮ９のドレインが接続される。差動部２の出力は、トランジスタＮ２のゲートに入力されるだけではなく、スイッチＮ８を介してトランジスタＮ９のドレインとトランジスタＮ１１のゲートとにも入力される。トランジスタＮ９のソースは接地端子ＧＮＤに接続され、ゲートには否定論理和回路ＮＯＲ１の出力が入力される。
【００６７】
図７に、矩形波発生回路９による矩形波制御信号を入力端子ＣＧに入力した場合の、発振器回路１ｂの各部電圧シミュレーション波形を示す。同図において横軸は時間（μｓ）を示す。縦軸は、同図（ａ）においては入力端子ＣＧの電圧であるＣＧ電圧（Ｖ）を示し、同図（ｂ）においては差動部出力電圧（Ｖ）を示し、同図（ｃ）においては否定論理和回路ＮＯＲ１の出力電圧（Ｖ）を示し、同図（ｄ）においては利得部出力電圧（Ｖ）を示し、同図（ｅ）においてはコンパレータ出力電圧（Ｖ）を示し、同図（ｆ）においてはクロック出力電圧（Ｖ）を示す。
【００６８】
このときの矩形波制御信号は、同図（ａ）に示すように、０Ｖ、５Ｖ振幅の２ＭＨｚとする。すなわち周期は５００ｎｓである。
【００６９】
「インバータＩＮＶ３の入力であるＣＧ電圧がハイレベル（＞１／２×ＶＤＤ）かつ、差動部２の出力がローレベル（＜１／２×ＶＤＤ）」以外の場合、すなわち利得部３の出力がローレベルになる（ローレベルである）べきときに、否定論理和回路ＮＯＲ１の出力はローレベルになり、インバータＩＮＶ４の出力はハイレベルになる。すると、スイッチＮ８及びトランジスタＮ１０がオンし、トランジスタＮ９はオフする。
【００７０】
その結果、トランジスタＮ２に対し、トランジスタＮ１１が並列に接続されて、電流能力が増えることから、利得部３の出力は速やかにローレベルに低下する。これを同図（ｄ）の符号Ｑ１として示す。図２（ｄ）の符号Ｑ２と比較して明らかなように、否定論理和回路ＮＯＲ１の出力がローレベルとなってから利得部出力がローレベルとなるまでの時間が短縮される。
一方、「インバータＩＮＶ３の入力であるＣＧ電圧がハイレベル（＞１／２×ＶＤＤ）かつ、差動部２の出力がローレベル（＜１／２×ＶＤＤ）」の場合、すなわち利得部３の出力がハイレベルになる（ハイレベルである）べきときに、否定論理和回路ＮＯＲ１の出力はハイレベルになり、インバータＩＮＶ４の出力はローレベルになる。すると、スイッチＮ８及びトランジスタＮ１０がオフし、トランジスタＮ９はオンする。そのため、トランジスタＮ２および利得部出力からトランジスタＮ１１が切り離される。
【００７１】
図８に、０Ｖ、５Ｖ振幅かつ１０ＭＨｚの矩形波制御信号を入力端子ＣＧに入力した場合の、発振器回路１ｂの各部電圧シミュレーション波形を示す。また、図９に、０Ｖ、５Ｖ振幅かつ２０ＭＨｚの矩形波制御信号を入力端子ＣＧに入力した場合の、発振器回路１ｂの各部電圧シミュレーション波形を示す。両図によれば、コンパレータ出力電圧は、入力端子ＣＧの電圧に追従して変化していることがわかる。つまり、コンパレータ出力電圧を２０ＭＨｚ程度までクロックアップすることができている。
【００７２】
図１０に、通常動作させる際の発振器回路１ｂを示す。入力端子ＣＧと電源端子ＶＤＤとの間に抵抗Ｒ０が外付けされ、さらに、入力端子ＣＧと接地端子ＧＮＤとの間に容量Ｃ０が外付けされる。そして、図１１に、発振器回路１ｂを通常動作させた際の各部電圧シミュレーション波形を示す。図２８と同様に、コンパレータ出力電圧で約２００ｋＨｚ、Ｄフリップフロップ回路Ｄ−ＦＦの出力で約１００ｋＨｚのクロック出力が得られることがわかる。
【００７３】
第２補助回路部５を、利得部の出力を制御する出力制御部と呼ぶこともできる。
【００７４】
［第３実施形態］
図１２に、本発明の第３実施形態として、矩形波発生回路９が外付けされた発振器回路１ｃを示す。図６と同じ要素には同じ符号を付して詳細な説明は省略する。
【００７５】
発振器回路１ｃは、発振器回路１ａの構成に加えて、第２検出ロジック部６と第２補助回路部７とを有する。第２検出ロジック部６は、インバータＩＮＶ５と否定論理積回路ＮＡＮＤ１とインバータＩＮＶ６とを有し、まずＣＧ電圧がローレベルとなったことを検出する。第２補助回路部７は、ドレインが利得部出力に接続され、ソースが接地端子ＧＮＤに接続されるトランジスタ（Ｎ型ＭＯＳＦＥＴ）Ｎ８ａを有し、利得部出力がローレベルとなるべきときにトランジスタＮ８ａがオンして利得部出力が速やかにローレベルとなるように補助を行う。
【００７６】
インバータＩＮＶ５には利得部出力が入力される。このインバータＩＮＶ５の出力とインバータＩＮＶ３の出力とは、否定論理積回路ＮＡＮＤ１に入力される。否定論理積回路ＮＡＮＤ１の出力はインバータＩＮＶ６に入力され、このインバータＩＮＶ６の出力はトランジスタＮ８ａのゲートに入力される。
【００７７】
一例として、電源電圧ＶＤＤは５Ｖであり、発振器回路１ｃの基準電位はグランドレベルすなわち０Ｖである。抵抗Ｒ２〜Ｒ６の各抵抗値は等しい。すなわち、コンパレータに入力される第１基準電圧Ｖ１は３Ｖであり、第２基準電圧Ｖ２は２Ｖである。インバータＩＮＶ１〜ＩＮＶ４及びＩＮＶ６とＤフリップフロップ回路Ｄ−ＦＦとにおける論理閾値電圧はいずれも、１／２×ＶＤＤである。また、インバータＩＮＶ５の論理閾値電圧は２／３×ＶＤＤとする。すなわち、インバータＩＮＶ５の論理閾値電圧は、インバータＩＮＶ３の論理閾値電圧よりも高い。
【００７８】
図１３に、矩形波発生回路９による矩形波制御信号を入力端子ＣＧに入力した場合の、発振器回路１ｃの各部電圧シミュレーション波形を示す。同図において横軸は時間（ｎｓ）を示す。縦軸は、同図（ａ）においては入力端子ＣＧの電圧であるＣＧ電圧（Ｖ）を示し、同図（ｂ）においては差動部出力電圧（Ｖ）を示し、同図（ｃ）においては否定論理和回路ＮＯＲ１の出力電圧（Ｖ）を示し、同図（ｄ）においては否定論理積回路ＮＡＮＤ１の出力電圧（Ｖ）を示し、同図（ｅ）においては利得部出力電圧（Ｖ）を示し、同図（ｆ）においてはコンパレータ出力電圧（Ｖ）を示し、同図（ｇ）においてはクロック出力電圧（Ｖ）を示す。
【００７９】
このときの矩形波制御信号は、同図（ａ）に示すように、０Ｖ、５Ｖ振幅の１０ＭＨｚとする。すなわち周期は１００ｎｓである。
【００８０】
第２検出ロジック部６においては、ＣＧ電圧及び利得部出力が入力され、ＣＧ電圧がローレベル（図１２では０Ｖ）かつ利得部出力がローレベル（２／３×ＶＤＤ以下）になったことが検出されると、否定論理積回路ＮＡＮＤ１の出力がローレベル（インバータＩＮＶ６の出力はハイレベル）となる。この否定論理積回路ＮＡＮＤ１のローレベルの出力（インバータＩＮＶ６のハイレベルの出力）により、第２補助回路部のトランジスタＮ８ａがオンし、利得部出力が速やかにローレベルとなる（図１３（ｅ）の符号Ｑ３）。なお、図１３（ｅ）に示すように、利得部出力電圧は、立ち下がりの初期では変化がなだらかで低下が遅いため、利得部出力電圧の立下りを検出するインバータＩＮＶ５の論理閾値電圧を他のインバータの論理閾値電圧より高くして、利得部出力電圧が立下り始めたことを速やかに検出するようにしている。
【００８１】
図１４に、０Ｖ、５Ｖ振幅かつ１７ＭＨｚの矩形波制御信号を入力端子ＣＧに入力した場合の、発振器回路１ｃの各部電圧シミュレーション波形を示す。コンパレータ出力電圧は、入力端子ＣＧの電圧に追従して変化していることがわかる。つまり、コンパレータ出力電圧を１７ＭＨｚ程度までクロックアップすることができている。
【００８２】
図１５に、通常動作させる際の発振器回路１ｃを示す。入力端子ＣＧと電源端子ＶＤＤとの間に抵抗Ｒ０が外付けされ、さらに、入力端子ＣＧと接地端子ＧＮＤとの間に容量Ｃ０が外付けされる。そして、図１６に、発振器回路１ｃを通常動作させた際の各部電圧シミュレーション波形を示す。図２８と同様に、コンパレータ出力電圧で約２００ｋＨｚ、Ｄフリップフロップ回路Ｄ−ＦＦの出力で約１００ｋＨｚのクロック出力が得られることがわかる。
【００８３】
第２検出ロジック部６及び第２補助回路部７をまとめて、利得部の出力を制御する出力制御部と呼ぶこともできる。
【００８４】
第２検出ロジック部６の構成は適宜変更することができる。例えば、インバータＩＮＶ５と否定論理積回路ＮＡＮＤ１とインバータＩＮＶ６とを組み合わせて一つの論理回路とすることができる。このとき、インバータＩＮＶ５の入力をこの論理回路の入力とし、インバータＩＮＶ６の出力をこの論理回路の出力とすることができる。
【００８５】
［第４実施形態］
図１７に、本発明の第４実施形態として、矩形波発生回路９が外付けされた発振器回路１ｄを示す。図１２と同じ要素には同じ符号を付して詳細な説明は省略する。なお、符号ＣＭＰが本実施の形態に用いられるコンパレータである。
【００８６】
発振器回路１ｃの充放電制御部４が、発振器回路１ｄにおいては、第１検出ロジック部４１ｄと第１補助回路部４２とを備えた充放電制御部４ｄに置き換えられている。第１検出ロジック部４１ｄは、第１検出ロジック部４１の構成に加えて、容量（スピードアップコンデンサ）Ｃ１を備えている。容量Ｃ１は、否定論理和回路ＮＯＲ１の２つの入力に接続され、両入力間の交流パスの役割を持つ。
【００８７】
発振器回路１ｃの第２検出ロジック部６は、発振器回路１ｄにおいては第２検出ロジック部６ｄに置き換えられている。第２検出ロジック部６ｄは、インバータＩＮＶ５ｄ及びＩＮＶ６ｄと否定論理和回路ＮＯＲ２と容量（スピードアップコンデンサ）Ｃ２とを有し、まずＣＧ電圧がローレベルとなったことを検出する。
【００８８】
インバータＩＮＶ５ｄの入力は、差動対を構成するトランジスタＰ３のゲートに接続されている入力端子ＣＧに接続される。つまり、インバータＩＮＶ５ｄには、矩形波発生回路９から矩形波制御信号が入力される。このインバータＩＮＶ５ｄの出力はインバータＩＮＶ６ｄに入力される。インバータＩＮＶ６ｄの出力と、利得部３の出力とは、否定論理和回路ＮＯＲ２に入力される。否定論理和回路ＮＯＲ２の出力は、トランジスタＮ８ａのゲートに入力される。また、インバータＩＮＶ６ｄの入力と否定論理和回路ＮＯＲ２の出力とに容量Ｃ２が接続される。容量Ｃ２は、インバータＩＮＶ６ｄの入力と否定論理和回路ＮＯＲ２の出力との間の交流パスの役割を持つ。
【００８９】
図１８に、コンパレータＣＭＰを用いた発振器回路例１ｄの入力端子ＣＧに２ＭＨｚの矩形波制御信号を入力した場合の各部電圧シミュレーション波形を示す。同図において横軸は時間（μｓ）を示す。縦軸は、同図（ａ）においてはＣＧ電圧（Ｖ）を示し、同図（ｂ）においては、差動部出力電圧（Ｖ）を示し、同図（ｃ）においては否定論理和回路ＮＯＲ１の出力電圧（Ｖ）を示し、同図（ｄ）においては否定論理和回路ＮＯＲ２の出力電圧（Ｖ）を示し、同図（ｅ）においては利得部出力電圧（Ｖ）を示し、同図（ｆ）においてはコンパレータ出力電圧（Ｖ）を示し、同図（ｇ）においてはクロック出力電圧（Ｖ）を示す。
【００９０】
同図（ａ）に示すように、矩形波制御信号は、０Ｖ、５Ｖ振幅の２ＭＨｚである。ここで、電源電圧ＶＤＤは５Ｖであり、発振器回路１ｄおよびコンパレータＣＭＰの基準電位（ＧＮＤ電圧）は０Ｖである。また、抵抗Ｒ２〜Ｒ６の抵抗値は等しい。すなわち、コンパレータに入力される基準電圧Ｖ１は３Ｖであり、第２基準電圧Ｖ２は２Ｖである。インバータＩＮＶ１〜ＩＮＶ４、ＩＮＶ５ｄ及びＩＮＶ６ｄとＤフリップフロップ回路Ｄ−ＦＦと否定論理和回路ＮＯＲ１及びＮＯＲ２とにおける論理閾値電圧はいずれも、１／２×ＶＤＤである。
【００９１】
図１８から、２ＭＨｚの矩形波制御信号が入力された場合に、発振器回路１ｄは正常に動作することがわかる。
【００９２】
図１９に、発振器回路例１ｄの入力端子ＣＧに５０ＭＨｚの矩形波制御信号を入力した場合の各部電圧シミュレーション波形を示す。このときの矩形波制御信号は、同図（ａ）及び図２４（ａ）に示すような０Ｖ、５Ｖ振幅の５０ＭＨｚである。図１９から、５０ＭＨｚの矩形波制御信号が入力された場合にも発振器回路１ｄは正常に動作することがわかる。
【００９３】
この図１９を参照しながら、コンパレータＣＭＰを用いた発振器回路１ｄの動作を説明する。
【００９４】
（１）第１検出ロジック部４１ｄの動作
否定論理和回路ＮＯＲ１の一方の入力である差動部出力電圧は、該否定論路和回路の論理閾値電圧（１／２×ＶＤＤ）に達することがなく、当該論理閾値より低いローレベルを保つ。そのため、否定論理和回路ＮＯＲ１の出力電圧は、該否定論理和回路の他方の入力端子にインバータＩＮＶ３を介して入力されるＣＧ電圧と同相出力になる。
【００９５】
（２）第１補助回路部４２の動作
上記（１）から、ＣＧ電圧がハイレベルのときに、ゲートが否定論理和回路ＮＯＲ１の出力に接続されるトランジスタＮ７はオンし、ＣＧ電圧がローレベルのときに同トランジスタはオフする。また、ＣＧ電圧がハイレベルのときに、ゲートがインバータＩＮＶ４を介して否定論理和回路ＮＯＲ１の出力に接続されるトランジスタＰ６はオンし、ＣＧ電圧がローレベルのときに同トランジスタはオフする。
【００９６】
（３）第２検出ロジック部６ｄの動作
まず、差動部出力によりトランジスタＮ２（ゲート閾値電圧は０．７Ｖ）がオンして、利得部出力電圧はローレベルとなる。利得部出力電圧がローレベルのとき、この利得部出力電圧と、インバータＩＮＶ５ｄ及びＩＮＶ６ｄとを介したＣＧ電圧とが入力される否定論理和回路ＮＯＲ２の出力は、ＣＧ電圧とは逆相となる。インバータＩＮＶ６ｄの入力も、インバータＩＮＶ５ｄによりＣＧ電圧とは逆相である。容量Ｃ２を介して、インバータＩＮＶ６ｄの入力と否定論理和回路ＮＯＲ２の出力とは同期し、安定する。
【００９７】
（４）第２補助回路部７の動作
上記（３）から、ＣＧ電圧がハイレベルのときに、ゲートが否定論理和回路ＮＯＲ２の出力に接続されるトランジスタＮ８ａはオフし、ＣＧ電圧がローレベルのときに同トランジスタはオンする。
【００９８】
（５）利得部出力
以上から、第１補助回路部４２と第２補助回路部７とにより、ＣＧ電圧がハイレベルのときに、否定論理和回路ＮＯＲ１の出力はハイレベルとなり、否定論理和回路ＮＯＲ２の出力はローレベルとなり、利得部出力はハイレベルとなる（図２４（ａ）の上段参照）。また、ＣＧ電圧がローレベルのときに、否定論理和回路ＮＯＲ１の出力はローレベルとなり、否定論理和回路ＮＯＲ２の出力はハイレベルとなり、利得部出力はローレベルとなる。
【００９９】
次に、本実施形態のコンパレータのコンパレータ動作（ＣＧ電圧と基準電圧との比較動作）を説明する。
【０１００】
図２０に、５０ＭＨｚ（１．５Ｖ、３．５Ｖ振幅）の矩形波制御信号が入力された場合の、各部電圧シミュレーション波形を示す。図２４（ｂ）に示すように、最大値である３．５Ｖは第１基準電圧である３Ｖを上回り、最小値である１．５Ｖは第２基準電圧である２Ｖを下回るため、矩形波制御信号と同相の利得部出力電圧が出力される（図２４（ｂ）の上段参照）。したがって、矩形波制御信号と同相のコンパレータ出力が得られる。その検出動作については、上記（１）〜（５）にて述べた通りである。
【０１０１】
図２１に、５０ＭＨｚ（０Ｖ、２．７Ｖ振幅）の矩形波制御信号が入力された場合の、各部電圧シミュレーション波形を示す。図２４（ｃ）に示すように、最大値である２．７Ｖは、第１基準電圧である３Ｖを下回る。そのため、利得部出力電圧がローレベルとなるため、コンパレータ出力もローレベルとなる。
【０１０２】
その動作については、ＣＧ電圧が０Ｖから２．７Ｖに変化すると、まず差動部２において、第１基準電圧（３Ｖ）がＣＧ電圧を上回るものの、その差がわずかなものになるため、トランジスタＰ３から差動部出力に流れる電流が減少する。一方、インバータＩＮＶ３の出力はローレベルになるが、インバータＩＮＶ３の入力電圧２．７ＶがインバータＩＮＶ３の閾値電圧ＶＤＤ／２＝２．５Ｖに近いため、インバータＩＮＶ３が出力をローレベルにする力が小さい。具体的には、出力がローレベルということはインバータＩＮＶ３の出力は電流を吸い込む形となっているが、入力と閾値電圧が近いとその吸い込む電流が小さくなる。
また、ＣＧ電圧が２．７Ｖになる直前の状態における容量Ｃ１の両端の電圧は、インバータＩＮＶ３の出力電圧側が５Ｖであり、差動部出力電圧が１Ｖ程度（図２１（ｂ））であり、容量Ｃ１はこの電圧差で充電されている。このため、ＣＧ電圧が０Ｖから２．７Ｖに変化してもインバータＩＮＶ３の出力は瞬時にローレベルにならず、絞られたトランジスタＰ３とインバータＩＮＶ３の電流によって容量Ｃ１の電荷が放電されるにつれインバータＩＮＶ３の出力は徐々に下がっていき、それにつれて否定論理和回路ＮＯＲ１の出力が徐々に増加することになる。また、インバータＩＮＶ３の出力が容量Ｃ１を介して伝わるとともに、否定論理和回路ＮＯＲ１の出力の上昇によりトランジスタＮ７がオンするので、差動部出力電圧は０Ｖまで減少する。
その結果、否定論理和回路ＮＯＲ１の出力はＣＧ電圧に比べてデューティ比の小さい波形となり、トランジスタＰ６のオン時間は短くなる。
【０１０３】
否定論理和回路ＮＯＲ２の出力については、ＣＧ電圧が０Ｖの場合は、インバータＩＮＶ５ｄの閾値電圧ＶＤＤ／２＝２．５Ｖとの差が大きいため、図１８（ｄ）と同様にハイレベルとなる。一方、ＣＧ電圧が２．７Ｖの場合は、インバータＩＮＶ５ｄの入力電圧２．７ＶがインバータＩＮＶ５ｄの閾値電圧２．５Ｖに近いため、インバータＩＮＶ５ｄが出力をローレベルにする力が小さい。具体的には、出力がローレベルということはインバータＩＮＶ５ｄの出力は電流を吸い込む形となっているが、入力と閾値電圧が近いとその吸い込む電流が小さくなる。そのため、ＣＧ電圧の変化（０Ｖ→２．７Ｖ）を否定論理和回路ＮＯＲ２の出力に伝搬するのに時間がかかり、否定論理和回路ＮＯＲ２の出力が変化する前に再びＣＧ電圧が０Ｖとなる、という形になっている。したがって、トランジスタＮ８は常にオンであり、利得部出力電圧はローレベルになる。
【０１０４】
図２２に、５０ＭＨｚ（２．３Ｖ、５Ｖ振幅）の矩形波制御信号が入力された場合の、各部電圧シミュレーション波形を示す。図２４（ｄ）に示すように、最小値である２．３Ｖは第２基準電圧（２Ｖ）を上回る。利得部出力電圧はハイレベル、したがってコンパレータ出力電圧はハイレベルとなる。
【０１０５】
その動作については、まず差動部２において、ＣＧ電圧が第２基準電圧（２Ｖ）を上回るため、トランジスタＰ３がオフ、トランジスタＮ３がオンして、差動部出力電圧はローレベルとなる。そのため、上記（１）及び（２）が成り立ち、トランジスタＰ６はオン又はオフとなる。しかし、上記（３）が成り立たず、トランジスタＮ２はオフのままである。ＣＧ電圧が２．３Ｖのときは、インバータＩＮＶ５ｄの閾値電圧２．５Ｖに近いため、トランジスタＮ８ａのゲート電圧となる否定論理和回路ＮＯＲ２の出力電圧が、トランジスタＮ８ａの閾値電圧に比べてさほど高くない電圧となり（図２２（ｄ））、トランジスタＮ８ａに流れる電流は限定される。一方、否定論理和回路ＮＯＲ１の出力電圧が５Ｖから徐々に下がることから、トランジスタＰ６のゲート電圧となるインバータＩＮＶ４の出力電圧が０Ｖから徐々に上昇するため、トランジスタＰ６から電流が供給される状態が暫くは継続する。従い、ＣＧ電圧が５Ｖから２．３Ｖに変化しても、利得部出力の減少は小さく、結果的にハイレベルを保つ。
【０１０６】
図２３に、５０ＭＨｚ（２．３Ｖ、２．７Ｖ振幅）の矩形波制御信号が入力された場合の、各部電圧シミュレーション波形を示す。図２４（ｅ）に示すように、最小値である２．３Ｖは第２基準電圧（２Ｖ）を上回り、最大値である２．７Ｖは第１基準電圧（３Ｖ）を下回る。利得部出力電圧はハイレベル、したがって、コンパレータ出力はハイレベルとなる。否定論理和回路ＮＯＲ２の動作については、図２１の場合と同様である。
【０１０７】
以上のように、図２０〜図２３から、コンパレータは５０ＭＨｚの入力信号に対して、比較動作を行っていることがわかる。
【０１０８】
発振器回路１ｄにおいては、第１検出ロジック部４１ｄ及び第１補助回路部４２によりＣＧ電圧がローレベル（０Ｖ）からハイレベル（５Ｖ）に変化すると利得部出力も速やかにハイレベルとなり、第２検出ロジック部６ｄ及び第２補助回路部７によりＣＧ電圧がハイレベルからローレベルに変化すると利得部出力も速やかにローレベルとなる。
【０１０９】
高周波の信号ほど容量Ｃ１を容易に通過し、矩形波の立ち上がりや立下りは高周波を多く含むので、矩形波信号の立ち上りエッジや立ち下がりエッジは容量Ｃ１を容易に通過する。そのため、高周波である矩形波制御信号の逆相であり、否定論理和回路ＮＯＲ１の一方の入力となっているインバータＩＮＶ３の出力が急変すると、否定論理和回路ＮＯＲ１の他方の入力も同じ変化をする。これにより、否定論理和回路ＮＯＲ１は疑似的にインバータ動作となり、矩形波制御信号と同相で速やかに切り替わる。
また、高周波である矩形波制御信号の逆相であるインバータＩＮＶ５ｄの出力が急変すると、同様にその変化が容量Ｃ２を介して否定論理和回路ＮＯＲ２の出力に伝達される。従い、高周波である矩形波制御信号がローレベルになると、否定論理和回路ＮＯＲ２の出力は速やかにハイレベルとなり、利得部出力電圧はローレベルとなる。このことは、図１３（ｄ）の符号Ｑ４及び同図（ｅ）の符号Ｑ５と、図１９（ｄ）及び（ｅ）との比較からも確認することができる。また、矩形波制御信号がハイレベルになると、否定論理和回路ＮＯＲ２の出力は速やかにローレベルとなり、利得部出力電圧はハイレベルとなる。
【０１１０】
図２５に、通常動作させる際の発振器回路１ｄを示す。入力端子ＣＧと電源端子ＶＤＤとの間に電流供給素子として機能する抵抗Ｒ０が外付けされ、さらに、入力端子ＣＧと接地端子ＧＮＤとの間に容量Ｃ０が外付けされる。そして、図２６に、発振器回路１ｄを通常動作させた際の各部電圧シミュレーション波形を示す。図２８と同様に、コンパレータ出力電圧で約２００ｋＨｚ、Ｄフリップフロップ回路Ｄ−ＦＦの出力で約１００ｋＨｚのクロック出力が得られることがわかる。
なお、電流供給素子は抵抗に限定されるものではなく、例えばカレントミラー回路を使った定電流回路などであってもよい。
【０１１１】
第２検出ロジック部６ｄ及び第２補助回路部７をまとめて、利得部の出力を制御する出力制御部と呼ぶこともできる。なお、容量Ｃ１を設けない態様も可能である。
【０１１２】
インバータＩＮＶ６ｄと否定論理和回路ＮＯＲ２とを組み合わせて一つの論理回路とすることができる。このとき、インバータＩＮＶ６ｄの入力をこの論理回路の入力とし、否定論理和回路ＮＯＲ２の出力をこの論理回路の出力とすることができる。
【０１１３】
否定論理和回路ＮＯＲ１とインバータＩＮＶ４とを組み合わせて一つの論理回路とすることができる。このとき、否定論理和回路ＮＯＲ１の２つの入力をこの論理回路の２つの入力とし、インバータＩＮＶ４の出力をこの論理回路の出力とすることができる。
【０１１４】
本発明の特定の実施形態について説明したが、本発明はこのような実施形態に限定されず、本発明の技術的思想に基づく種々の変更は本発明の概念に含まれる。
【０１１５】
例えば、発振器回路の基準電位は、グランドに限られず、任意に定めることができる。また、複数のインバータを区別するために、各々を第ｎインバータと呼ぶことができる。ただし、ｎは自然数である。同様に、複数のトランジスタを区別するために、各々を第ｎトランジスタと呼ぶこともできる。複数の容量を区別するために各々を第ｎ容量と呼ぶこともできる。
【０１１６】
発振器回路の入力端子ＣＧに生じる信号は、コンパレータＣＭＰの外部端子を通して差動部２の一方の入力（トランジスタＰ３のゲート）に入力することができる。コンパレータＣＭＰの外部端子に生じる信号は、先に述べた通り、同コンパレータの利得部の出力により生成される信号又は同コンパレータの外部から同コンパレータの外部端子に入力される信号とすることができる。
【０１１７】
先に述べたように、発振器回路を制御するための制御信号は、利得部の出力から生成される信号又は発振器回路の外部から入力される信号とすることができる。この制御信号は、差動部の一方の入力に入力される。
【符号の説明】
【０１１８】
ＣＭＰ      コンパレータ
１          発振器回路
ＶＤＤ      電源端子
ＣＧ        入力端子
ＧＮＤ      接地端子
２          差動部
Ｐ２〜Ｐ５  トランジスタ
Ｎ３、Ｎ４  トランジスタ
Ｎ５、Ｎ６  スイッチ
Ｒ２〜Ｒ６  抵抗
Ｖ１、Ｖ２  基準電圧
３          利得部
Ｐ１        トランジスタ
Ｎ２        トランジスタ
ＩＮＶ２    インバータ
ＩＮＶ１    インバータ
Ｒ１        抵抗
Ｎ１        トランジスタ
Ｄ−ＦＦ    Ｄフリップフロップ回路
１ａ        発振器回路
４          充放電制御部
ＩＮＶ３    インバータ
ＮＯＲ１    否定論理和回路
Ｎ７        トランジスタ
ＩＮＶ４    インバータ
Ｐ６        トランジスタ
Ｒ０        抵抗
Ｃ０        容量
９          矩形波発生回路
１ｂ        発振器回路
４１        第１検出ロジック部
４２        第１補助回路部
５          第２補助回路部
Ｎ８        スイッチ
Ｎ９〜Ｎ１１  トランジスタ
１ｃ        発振器回路
６          第２検出ロジック部
ＩＮＶ５、ＩＮＶ６  インバータ
ＮＡＮＤ１  否定論理積回路
７          第２補助回路部
Ｎ８ａ      トランジスタ
１ｄ        発振器回路
４ｄ        充放電制御部
４１ｄ      第１検出ロジック部
６ｄ        第２検出ロジック部
ＩＮＶ５ｄ、ＩＮＶ６ｄ  インバータ
ＮＯＲ２    否定論理和回路
Ｃ１、Ｃ２  容量
【図１】
2019116764.tif 000003
【図２】
2019116764.tif 000004
【図３】
2019116764.tif 000005
【図４】
2019116764.tif 000006
【図５】
2019116764.tif 000007
【図６】
2019116764.tif 000008
【図７】
2019116764.tif 000009
【図８】
2019116764.tif 000010
【図９】
2019116764.tif 000011
【図１０】
2019116764.tif 000012
【図１１】
2019116764.tif 000013
【図１２】
2019116764.tif 000014
【図１３】
2019116764.tif 000015
【図１４】
2019116764.tif 000016
【図１５】
2019116764.tif 000017
【図１６】
2019116764.tif 000018
【図１７】
2019116764.tif 000019
【図１８】
2019116764.tif 000020
【図１９】
2019116764.tif 000021
【図２０】
2019116764.tif 000022
【図２１】
2019116764.tif 000023
【図２２】
2019116764.tif 000024
【図２３】
2019116764.tif 000025
【図２４】
2019116764.tif 000026
【図２５】
2019116764.tif 000027
【図２６】
2019116764.tif 000028
【図２７】
2019116764.tif 000029
【図２８】
2019116764.tif 000030
【図２９】
2019116764.tif 000031
【図３０】
2019116764.tif 000032
【国際調査報告】
2019116764.tif 000033
2019116764.tif 000034
2019116764.tif 000035
2019116764.tif 000036